(57)【要約】【課題】  無担架棒タイプと担架棒タイプの二タイプの担架を現場の状況等に応じて容易かつ柔軟に使い分けることができるなど、利便性及び取扱性を高める。【解決手段】  被搬送者Ｈｒを載せる担架シーツ部２，及びこの担架シーツ部２の少なくとも左右の端部２ｐ，２ｑ又はその近傍に設けることにより搬送者Ｈｃ…が把持して搬送可能な把持部３ｐ，３ｑを備えてなる多機能ストレッチャー１を構成するに際して、担架シーツ部２における端部２ｐ，２ｑ又はその近傍に設けることにより、当該担架シーツ部２を搬送者Ｈｃ…が直接手Ｈｈ…で把持できる複数の取手部４…と、担架シーツ部２の端部２ｐ，２ｑ又はその近傍に設けることにより、担架棒５…を着脱式に保持可能な担架棒保持部６ｐ，６ｑとを具備する。【選択図】  図１
2020175017.tif 000002
【特許請求の範囲】
【請求項１】
被搬送者を載せる担架シーツ部，及びこの担架シーツ部の少なくとも左右の端部又はその近傍に設けることにより搬送者が把持して搬送可能な把持部を備えてなる多機能ストレッチャーにおいて、前記担架シーツ部における前記端部又はその近傍に設けることにより、当該担架シーツ部を搬送者が直接手で把持できる複数の取手部と、前記担架シーツ部の端部又はその近傍に設けることにより、担架棒を着脱式に保持可能な担架棒保持部とを具備してなることを特徴とする多機能ストレッチャー。
【請求項２】
前記担架シーツ部は、高強度素材により形成した最下部に位置する第一シート層と、天然繊維素材で形成することにより被搬送者に接触する最上部に位置する第三シート層と、液体の通過を遮断するフィルム素材で形成することにより前記第一シート層と前記第三シート層の間に介在する第二シート層を積層してなることを特徴とする請求項１記載の多機能ストレッチャー。
【請求項３】
前記取手部は、前記担架シーツ部における前記端部又はその近傍に、少なくとも人の手の指が入る長孔部を形成して設けることを特徴とする請求項１又は２記載の多機能ストレッチャー。
【請求項４】
連結部を介して着脱可能に連結する複数の棒メンバを有する担架棒を備えることを特徴とする請求項１記載の多機能ストレッチャー。
【請求項５】
前記連結部は、連結する棒メンバ同士に跨がる補強筒部を備えることを特徴とする請求項４記載の多機能ストレッチャー。
【請求項６】
前記担架棒保持部は、前記担架シーツ部に対して別体に形成することにより、前記担架シーツ部における前記端部又はその近傍に取付けることを特徴とする請求項１記載の多機能ストレッチャー。
【請求項７】
前記担架棒保持部は、前記担架シーツ部における前記端部又はその近傍の一部を直接利用して連続形成することを特徴とする請求項１記載の多機能ストレッチャー。
【発明の詳細な説明】
【技術分野】
【０００１】
本発明は、被搬送者を載せた状態で一人又は複数の搬送者により搬送する際に用いて好適な多機能ストレッチャーに関する。
【背景技術】
【０００２】
一般に、被災地における被災者等（被搬送者）を搬送する担架は広く普及しているが、この種の担架は、被搬送者の居る現場に迅速に搬入する必要があるため、携帯性や軽量性が求められるとともに、担架に載せた被搬送者を、悪路や狭い通路を含む様々な経路を安定かつ安全に移送する必要があることから、取り扱いなどに係わる柔軟対応性や多機能性も重要な要素となる。
【０００３】
従来、このような携帯性や多機能性等を考慮した担架の一例としては、特許文献１で開示される担架用シート及び特許文献２で開示される担架が知られている。同文献１に記載される担架用シートは、患者に不快感を与えることなく良好に抱き抱えることができる担架用シートの提供を目的としたものであり、具体的には、身体を支承できる大きさの布製シート体の幅方向に帯状若しくは紐状の架設体を往復架設状態にしてこのシート体の裏面側に付設し、この架設体の左右両架設端部をシート体の左右両端から少し突出状態に設け、この架設体の左右の突出部を輪状若しくはＣ状に形成した取手部を設けて構成したものである。
【０００４】
また、特許文献２で開示される担架は、緊急災害時等に、保管場所から現場まで、極めて容易に持ち運びすることのできる軽量で取扱の容易な担架の提供を目的としたものであり、具体的には、両端に把持部を有する支持棒の一対を互いに平行に所定距離を隔てて位置せしめた状態において、それら支持棒間にシートを架設するとともに、それら支持棒の対応する両端部間を連結し、その間隔を維持する連結アームを設けてなる担架において、かかる一対の支持棒を、それぞれ炭素繊維強化樹脂からなる中空のパイプ部材にて構成したものである。
【先行技術文献】
【特許文献】
【０００５】
【特許文献１】特開平１１−２８２２５号公報
【特許文献２】特開２０００−１４００２６号公報
【発明の概要】
【発明が解決しようとする課題】
【０００６】
しかし、上述した担架及び担架シートをはじめ、従来における担架類は次のような問題点があった。
【０００７】
即ち、この種の担架は、一般に、特許文献１に開示される無担架棒タイプと特許文献２に開示される担架棒タイプに分けることができる。無担架棒タイプは、担架棒が無いため、軽量性及び携帯性に有利となる反面、被搬送者を、容易かつ安定に搬送できないとともに、安定に搬送するには搬送者の人数を多くする必要がある。一方、担架棒タイプは、搬送者が少ない人数（例えば、二人）であっても被搬送者を安定に搬送できるメリットがある反面、二本の担架棒が付加されるため、軽量性及び携帯性に不利となる。
【０００８】
このように、従来における担架類は、いずれのタイプも一長一短があり、担架類に要求される必要な条件や機能の一部は備えるものの、担架類に必要とされる条件や機能を確保する観点からは不十分となる。結局、十分な軽量性及び携帯性を確保し、加えて、実際の使用時における多機能性（多様性）、更には取り扱いにおける柔軟対応性及び利便性をより高める観点からは更なる改善の余地があった。
【０００９】
本発明は、このような背景技術に存在する課題を解決した多機能ストレッチャーの提供を目的とするものである。
【課題を解決するための手段】
【００１０】
本発明は、上述した課題を解決するため、被搬送者Ｈｒを載せる担架シーツ部２，及びこの担架シーツ部２の少なくとも左右の端部２ｐ，２ｑ又はその近傍に設けることにより搬送者Ｈｃ…が把持して搬送可能な把持部３ｐ，３ｑを備えてなる多機能ストレッチャー１を構成するに際して、担架シーツ部２における端部２ｐ，２ｑ又はその近傍に設けることにより、当該担架シーツ部２を搬送者Ｈｃ…が直接手Ｈｈ…で把持できる複数の取手部４…と、担架シーツ部２の端部２ｐ，２ｑ又はその近傍に設けることにより、担架棒５…を着脱式に保持可能な担架棒保持部６ｐ，６ｑとを具備してなることを特徴とする。
【００１１】
この場合、発明の好適な態様により、担架シーツ部２は、高強度素材により形成した最下部に位置する第一シート層１１と、天然繊維素材で形成することにより被搬送者Ｈｒに接触する最上部に位置する第三シート層１３と、液体の通過を遮断するフィルム素材で形成することにより第一シート層１１と第三シート層１３の間に介在する第二シート層１２を積層して構成することができる。また、取手部４…は、担架シーツ部２における端部２ｐ，２ｑ又はその近傍に、少なくとも人の手Ｈｈの指Ｈｍ…が入る長孔部１４…を形成して設けることができる。さらに、多機能ストレッチャー１には、連結部１６…を介して着脱可能に連結する複数の棒メンバ１５ａ，１５ｂ，１５ｃを有する担架棒５を設けることができるとともに、この連結部１６…には、連結する棒メンバ１５ａ，１５ｂ，１５ｃ同士に跨がる補強筒部１６ｃ…を設けることができる。一方、担架棒保持部６ｐ，６ｑは、担架シーツ部２に対して別体に形成することにより、担架シーツ部２における端部２ｐ，２ｑ又はその近傍に取付けてもよいし、担架シーツ部２における端部２ｐ，２ｑ又はその近傍の一部を直接利用して連続形成してもよい。
【発明の効果】
【００１２】
このような構成を有する本発明に係る多機能ストレッチャー１によれば、次のような顕著な効果を奏する。
【００１３】
（１）  担架シーツ部２における端部２ｐ，２ｑ又はその近傍に設けることにより、当該担架シーツ部２を搬送者Ｈｃが直接手Ｈｈで把持できる複数の取手部４…と、担架シーツ部２の端部２ｐ，２ｑ又はその近傍に設けることにより、着脱式の担架棒５…を保持可能な担架棒保持部６ｐ，６ｑとを具備してなるため、いわば、無担架棒タイプと担架棒タイプの二タイプの担架を、現場の状況等に応じて柔軟にかつ容易に使い分けることができる。この結果、十分な軽量性及び携帯性を確保しつつ、実際の使用時における柔軟対応性及び利便性を高めることができる。
【００１４】
（２）  好適な態様により、担架シーツ部２を、高強度素材により形成した最下部に位置する第一シート層１１と、天然繊維素材で形成することにより被搬送者Ｈｒに接触する最上部に位置する第三シート層１３と、液体の通過を遮断するフィルム素材で形成することにより第一シート層１１と第三シート層１３の間に介在する第二シート層１２を積層して構成すれば、被搬送者Ｈｒ及び搬送者Ｈｃの双方の観点から最適な担架シーツ部２を構築できるとともに、被災者（被搬送者）Ｈｒに掛けて覆う保温シート等の他の用途としても利用できるなど、多様性（多機能性）及び発展性に優れた多機能ストレッチャー１として提供できる。
【００１５】
（３）  好適な態様により、取手部４…を設けるに際し、担架シーツ部２における端部２ｐ，２ｑ又はその近傍に、少なくとも人の手Ｈｈの指Ｈｍ…が入る長孔部１４…を形成して設ければ、別途の取手部品等を追加することなく、担架シーツ部２のみで容易に取手部４…を形成できるため、低コスト性に優れるとともに、容易かつコンパクトに折畳むことができる。しかも、使い捨てが可能になるため、使用後の後処理を容易に行うことができる。
【００１６】
（４）  好適な態様により、多機能ストレッチャー１を構成するに際し、連結部１６…を介して着脱可能に連結する複数の棒メンバ１５ａ，１５ｂ，１５ｃを有する担架棒５…を含めて構成すれば、非使用時には、複数の棒メンバ１５ａ，１５ｂ，１５ｃに分解できるため、担架棒５…を使用する場合であっても、担架シーツ部２を含む多機能ストレッチャー１全体のコンパクト化及び必要な携帯性を確保できる。
【００１７】
（５）  好適な態様により、連結部１６…に、連結する棒メンバ１５ａ，１５ｂ，１５ｃ同士に跨がる補強筒部１６ｃ…を設ければ、棒メンバ１５ａ，１５ｂ，１５ｃ同士の連結部位の強度、特に使用時の荷重に対する強度を高めることができるため、連結式（着脱式）の連結棒５…であっても使用時における十分な安全性及び信頼性を確保できる。
【００１８】
（６）  好適な態様により、担架棒保持部６ｐ，６ｑを、担架シーツ部２に対して別体に形成することにより、担架シーツ部２における端部２ｐ，２ｑ又はその近傍に取付けるようにすれば、形成素材や強度等を含めた異なる独立した形態により担架棒保持部６ｐ，６ｑを形成できるため、多機能ストレッチャー１にとっての最適な担架棒保持部６ｐ，６ｑを設けることができる。
【００１９】
（７）  好適な態様により、担架棒保持部６ｐ，６ｑを、担架シーツ部２における端部２ｐ，２ｑ又はその近傍の一部を直接利用して連続形成すれば、別体の担架棒保持部６ｐ，６ｑを用意する必要がないため、多機能ストレッチャー１を製作する際における部品点数の削減及び製作工程の簡略化に伴うコストダウンに寄与できる。
【図面の簡単な説明】
【００２０】
【図１】本発明の好適実施形態に係る多機能ストレッチャーの取手部を使用した際の断面正面図、
【図２】同多機能ストレッチャーに担架棒を使用した際の断面正面図、
【図３】同多機能ストレッチャーにおける担架シーツ部の一部抽出拡大図及び一部抽出分解図を含む外観斜視図、
【図４】同多機能ストレッチャーの担架棒保持部の形成例を示す断面正面図、
【図５】同多機能ストレッチャーに用いる担架棒の外観側面図、
【図６】同多機能ストレッチャーの担架棒を構成する各棒メンバの外観側面図、
【図７】同多機能ストレッチャーに用いる担架棒における連結部の組付状態の断面側面図、
【図８】同多機能ストレッチャーに用いる担架棒における連結部の分解状態の断面側面図、
【図９】同多機能ストレッチャーを無担架棒モードとして使用する際の一部抽出拡大図を含む平面図、
【図１０】同多機能ストレッチャーを担架棒モードとして使用する際の一部破断平面図、
【図１１】同多機能ストレッチャーの他の使用モードの説明図、
【発明を実施するための形態】
【００２１】
次に、本発明に係る好適実施形態を挙げ、図面に基づき詳細に説明する。
【００２２】
まず、本実施形態に係る多機能ストレッチャー１の構成について、図１〜図９を参照して具体的に説明する。
【００２３】
多機能ストレッチャー１は、図３に示すように、基本構成として、被搬送者Ｈｒを載せる担架シーツ部２，及びこの担架シーツ部２の少なくとも左右の端部２ｐ，２ｑ又はその近傍に設けることにより一人又は複数の搬送者Ｈｃ…が把持して搬送可能な把持部３ｐ，３ｑを備えて構成する。
【００２４】
担架シーツ部２は、三層の積層シートＳを使用し、全体サイズを、Ｗ８２０〔ｍｍ〕×Ｈ１９８０〔ｍｍ〕（図９）の矩形状に形成する。この積層シートＳは、図３に示すように、最下部に位置する第一シート層１１，中間部に位置する第二シート層１２，及び最上部に位置する第三シート層１３を積層したものであり、耐荷重は１４０〔ｋｇ〕である。この場合、第一シート層１１は、引張強度に優れた高強度素材を用いてネット状に形成することができる。したがって、通気性が確保される。第三シート層１３は、被搬送者Ｈｒに直接接触するため、肌触りの良好なコットン等の天然繊維素材により形成することが望ましい。第二シート層１２は、第一シート層１１と第三シート層１３の間に介在し、液体の通過を遮断するフィルム素材により形成することが望ましい。フィルム素材としては、ポリエチレン樹脂素材が好適である。これにより、出血や排泄物の通過が阻止される。積層シートＳの全体に占める割合は、概ね第二シート層１２が５０〔％〕、第三シート層１３が５０〔％〕となる。
【００２５】
担架シーツ部２を、このような積層シートＳにより形成すれば、被搬送者Ｈｒ及び搬送者Ｈｃの双方の観点から最適な担架シーツ部２を構築できるとともに、被災者（被搬送者）Ｈｒに掛けて覆う保温シート等の他の用途としても利用できるなど、多様性（多機能性）及び発展性に優れた多機能ストレッチャー１として提供できる利点がある。
【００２６】
そして、この担架シーツ部２における左右の端部２ｐ，２ｑ又はその近傍には、搬送者Ｈｃが把持して搬送可能な把持部３ｐ，３ｑを設ける。この把持部３ｐ，３ｑには、本発明に従って二種類の把持機能部が含まれる。即ち、図３（図１）に示すように、担架シーツ部２における端部２ｐ，２ｑ又はその近傍に設けることにより、当該担架シーツ部２を搬送者Ｈｃが直接手Ｈｈで把持できる第一の把持機能部を構成する複数の取手部４…と、図３（図２）に示すように、担架シーツ部２の端部２ｐ，２ｑ又はその近傍に設けることにより、着脱可能な担架棒５…を保持する第二の把持機能部を構成する担架棒保持部６ｐ，６ｑとが含まれる。したがって、多機能ストレッチャー１の態様には、担架棒５，５を使用しない態様、即ち、担架シーツ部２のみを使用する無担架棒モードＭ１による態様と、担架棒５，５を使用する態様、即ち、担架シーツ部２の担架棒保持部６ｐ，６ｑに担架棒５，５をそれぞれ挿入して使用する担架棒モードＭ２による態様が含まれる。
【００２７】
この場合、複数の取手部４…は、図９に示すように、担架シーツ部２における端部２ｐ，２ｑ又はその近傍に、長孔部１４…を一定間隔おきに形成して設ける。例示する長孔部１４…は、一方の端部２ｐ側に四つ、他方の端部２ｑ側に四つの合計八つ設けた。この際、強度を確保するため、図４（ａ）に示すように、担架シーツ部２の端辺２ｐｓ側を所定幅にわたって折り返すことにより、当該端辺２ｐｓを担架シーツ部２の内側に縫い付けて固定した。符号３１は、縫い付けた縫製部を示す。この結果、担架シーツ部２における端部２ｐに二ツ折重部３２が設けられるため、この二ツ折重部３２に各長孔部１４…を形成する。したがって、この二ツ折重部３２の先端縁が担架シーツ部２の端部２ｐとなり、長孔部１４と端部２ｐ間における積層シートＳが取手部４として機能する。
【００２８】
これにより、搬送者Ｈｃは、図１に示すように、指Ｈｍ…を長孔部１４に入れて取手部４を把持することができる。なお、端部２ｐ側における他の取手部４…も同様に形成するとともに、他方の端部２ｑ側における取手部４…も同様に形成することができる。このように、取手部４…を設けるに際し、担架シーツ部２における端部２ｐ，２ｑ又はその近傍に、少なくとも人の手Ｈｈの指Ｈｍ…が入る長孔部１４…を形成して設ければ、別途の取手部品等を追加することなく、担架シーツ部２のみで容易に取手部４…を形成できるため、低コスト性に優れるとともに、容易かつコンパクトに折畳むことができる。しかも、使い捨てが可能になるため、使用後の後処理を容易に行うことができる利点がある。
【００２９】
一方、この取手部４…に加えて、担架棒保持部６ｐ，６ｑを設ける。この担架棒保持部６ｐ，６ｑは、各種形態により設けることが可能であり、その形態の一例を図４（ａ）〜（ｃ）に示す。
【００３０】
図４（ａ）は、上述した図２（図１）に示した形態であり、担架シーツ部２に対して別体に形成した担架棒保持部６ｐを、担架シーツ部２における端部２ｐ又はその近傍に取付けたものである。例示の場合は、別途用意した積層シートＳにより矩形状の保持シート３５を形成し、長辺部同士を重ね合わせた部位を、上述した縫製部３１により一緒に縫い付けることができる。これにより、担架棒保持部６ｐが形成されるため、この内部に、図４（ａ）に仮想線で示すように、担架棒５を挿入して使用することができる。
【００３１】
このように、担架棒保持部６ｐを、担架シーツ部２に対して別体に形成することにより、担架シーツ部２における端部２ｐ又はその近傍に取付けるようにすれば、形成素材や強度等を含めた異なる独立した形態により担架棒保持部６ｐを形成できるため、多機能ストレッチャー１にとっての最適な担架棒保持部６ｐを設けることができる利点がある。なお、一方の担架棒保持部６ｐ側について説明したが、他方の担架棒保持部６ｑ側も同様に構成することができる。
【００３２】
他方、図４（ｂ）及び（ｃ）は、担架棒保持部６ｐを設けるに際し、担架シーツ部２における端部２ｐ又はその近傍の一部を直接利用して連続形成したものである。なお、図４（ｂ）及び（ｃ）は、一方の担架棒保持部６ｐを示すが、他方の担架棒保持部６ｑも同様に構成することができる。
【００３３】
まず、図４（ｂ）は、前述した二ツ折重部３２を設けた後、さらに、端辺２ｐｓ側における中間部３６を折り返すことにより、端辺２ｐｓを中間部３６付近に位置させ、この端辺２ｐｓ及び中間部３６を、担架シーツ部２の内側に縫製部３１により縫い付けて固定した。これにより、第二の二ツ折重部３８を設けることができる。したがって、図４（ｂ）は、二ツ折重部３２と二ツ折重部３８を、担架シーツ部２の端辺２ｐｓ側の一部を用いていわば一筆書き状に連続形成したものである。
【００３４】
また、図４（ｃ）は、二ツ折重部３２と二ツ折重部３８を一体化して兼用させたものである。即ち、図４（ａ）における二ツ折重部３２を設けるに際し、その大きさを選定することにより、担架棒５を挿入可能にした。したがって、見掛け上、担架棒保持部６ｐを排除し、二ツ折重部３２に兼用させた。
【００３５】
このように、担架棒保持部６ｐ，６ｑを設けるに際し、担架棒保持部６ｐ，６ｑを、担架シーツ部２における端部２ｐ，２ｑ又はその近傍の一部を直接利用して連続形成すれば、別体の担架棒保持部６ｐ，６ｑを用意する必要がないため、多機能ストレッチャー１を製作する際における部品点数の削減及び製作工程の簡略化に伴うコストダウンに寄与できる利点がある。
【００３６】
次に、担架棒保持部６ｐ，６ｑに挿入して使用する担架棒５について、図５〜図８を参照して説明する。
【００３７】
担架棒５は、図６に示すように、連結部１６…を介して着脱可能な複数（例示は三本）の棒メンバ１５ａ，１５ｂ，１５ｃにより構成する。第一の棒メンバ１５ａは、アルミニウム素材を用いた軽量なパイプ材により形成した棒本体部４１を備え、この棒本体部４１の一端側に、ゴム素材等を被覆して形成したグリップ部４１ｇを設けるとともに、棒本体部４１の他端に、同軸上に位置するボルト部１６ｂを設けて構成する。第二の棒メンバ１５ｂは、同様のパイプ材により形成した棒本体部４２を備え、この棒本体部４２の両端に、連結部１６，１６を構成する連結本体部１６ｍ，１６ｍをそれぞれ設けて構成する。第三の棒メンバ１５ｃは、同様のパイプ材により形成した棒本体部４３を備え、この棒本体部４３の一端側に、ゴム素材等を被覆して形成したグリップ部４２ｇを設けるとともに、棒本体部４３の他端に、同軸上に位置するボルト部１６ｂを設けて構成する。したがって、ボルト部１６ｂ…及び連結本体部１６ｍ…により連結部１６…が構成される。
【００３８】
この場合、連結本体部１６ｍ…は、連結する棒メンバ１５ａ，１５ｂ，１５ｃ同士に跨がる補強筒部１６ｃ…を備える。図７及び図８に、連結部１６の具体的構成の一例を示す。連結本体部１６ｍは、図８に示すように、棒本体部４２の一端側の外周面に補強筒部１６ｃの一端側の内周面の半部を配するとともに、棒本体部４２の一端側の内周面に、内周にネジ孔４５ｎを形成した筒形のナット部４５を配し、この状態を一対の固定金具４６，４６により固定する。即ち、補強筒部１６ｃ，棒本体部４２及びナット部４５を貫通する一対の固定金具４６，４６をクロス状に装着することにより、補強筒部１６ｃ，連結本体部１６ｍ及びナット部４５を同時に固定する。この場合、補強筒部１６ｃの形成素材は、棒本体部４２と同一のアルミニウム素材を用いてもよいし、他の素材を用いてもよい。なお、棒本体部４２の一端側に設ける連結部１６について説明したが、棒本体部４２の他端側に備える連結部１６も同様の構成により設けることができる。
【００３９】
このように、連結部１６…に、連結する棒メンバ１５ａ，１５ｂ，１５ｃ同士に跨がる補強筒部１６ｃ…を設ければ、棒メンバ１５ａ，１５ｂ，１５ｃ同士の連結部位の強度、特に使用時の荷重に対する強度を高めることができるため、連結式（着脱式）の連結棒５…であっても使用時における十分な安全性及び信頼性を確保できる利点がある。
【００４０】
他方、棒本体部４３の他端の内周面には、図８に示すように、一端にボルト部１６ｂを有する筒状の取付部４７を配し、この状態を一対の固定金具４８，４８により固定する。即ち、棒本体部４１及び取付部４７を貫通する一対の固定金具４８，４８をクロス状に装着することにより、棒本体部４１及び取付部４７を固定する。したがって、ボルト部１６ｂは、上述したナット部４５のネジ孔４５ｎに対して螺合する。なお、棒本体部４３について説明したが、棒本体部４１に備えるボルト部１６ｂも同様の構成により設けることができる。
【００４１】
このように、多機能ストレッチャー１を構成するに際し、連結部１６…を介して着脱可能に連結する複数の棒メンバ１５ａ，１５ｂ，１５ｃを有する担架棒５…を含めて構成すれば、非使用時には、複数の棒メンバ１５ａ，１５ｂ，１５ｃに分解できるため、担架棒５…を使用する場合であっても、担架シーツ部２を含む多機能ストレッチャー１全体のコンパクト化及び必要な携帯性を確保できる利点がある。
【００４２】
次に、本実施形態に係る多機能ストレッチャー１の使用方法について、図１〜図１１を参照して説明する。
【００４３】
まず、多機能ストレッチャー１を、無担架棒モードＭ１として使用する場合について、図１及び図９を参照して説明する。
【００４４】
無担架棒モードＭ１では、担架棒５…を使用しないため、図９に示すように、担架シーツ部２のみの使用となる。例示の担架シーツ部２は、使い捨てタイプのため、２５×２１〔ｃｍ〕のサイズに折り畳んだ状態で袋に収容されている。したがって、この状態で容易に保管及び携帯することができる。
【００４５】
一方、使用する際には、折り畳んだ状態の担架シーツ部２を広げ、図１に示すように、担架シーツ部２の上面に被搬送者Ｈｒを載せる。そして、搬送者Ｈｃは、指Ｈｍ…を長孔部１４に入れて取手部４を把持する。この場合、取手部４…は、左右にそれぞれ四つずつ設けられているため、搬送者Ｈｃ…の人数に応じて持ち方を変えることができる。例えば、搬送者Ｈｃ…が四人存在すれば、担架シーツ部２の左右をそれぞれ二人ずつ持つことができるとともに、片手又は両手により持つことができる。また、搬送者Ｈｃ…が二人の場合、担架シーツ部２の左右をそれぞれ一人ずつ両手により持つことができる。さらに、搬送者Ｈｃが一人の場合、担架シーツ部２の左右における前端側の取手部４，４を同時に把持し、担架シーツ部２を引張ることにより地面等の上を滑らせて搬送することができる。そして、使用した担架シーツ部２は廃棄することができる。
【００４６】
次に、多機能ストレッチャー１を、担架棒モードＭ２として使用する場合について、図２及び図１０、更に各図を参照して説明する。
【００４７】
担架棒モードＭ２では、担架棒５を使用するため、担架シーツ部２と一緒に担架棒５を使用場所に搬入する。この場合、担架棒５は、図６に示すように、三部品に分解できるため、全長の１／３程度に短縮した状態にし、収納袋等に収容して持ち運ぶことができる。なお、担架棒５は、図２及び図１０に示すように、一枚の担架シーツ部２当たり二本の担架棒５…を使用する。
【００４８】
一方、使用する際には、図６に示すように、棒メンバ１５ｂの一端に備える連結本体部１６ｍに一方の棒メンバ１５ａのボルト部１６ｂを挿入し、かつボルト部１６ｂをナット部４５に螺着して結合するとともに、棒メンバ１５ｂの他端に備える連結本体部１６ｍに他方の棒メンバ１５ｃのボルト部１６ｂを挿入し、かつボルト部１６ｂをナット部４５に螺着して結合する。これにより、図５に示す一本の担架棒５を得ることができる。そして、二本の担架棒５，５を用意し、それぞれ担架シーツ部２における左右一方の担架棒保持部６ｐと他方の担架棒保持部６ｑに挿通させて使用する。挿通させた状態を図２及び図１０に示す。
【００４９】
この後、図２に示すように、担架シーツ部２の上面に被搬送者Ｈｒを載せ、図１０に示す担架シーツ部２の前端から突出する左右に位置する一対のグリップ部４３ｇ…を、前側の搬送者Ｈｃ…が把持するとともに、担架シーツ部２の後端から突出する左右に位置する一対のグリップ部４１ｇ…を、後側の搬送者Ｈｃ…が把持することにより、被搬送者Ｈｒの搬送を行うことができる。そして、使用後は、担架シーツ部２の各担架棒保持部６ｐ，６ｑから、それぞれ担架棒５，５を抜き取り、担架シーツ部２は廃棄するとともに、担架棒５，５は、図６に示すように分解し、収納袋等に収容して保管することができる。
【００５０】
次に、多機能ストレッチャー１を、担架以外の他の用途に使用する非担架モードＭ３として使用する場合の一例について、図１１及び各図を参照して説明する。
【００５１】
本実施形態に係る多機能ストレッチャー１に用いる担架シーツ部２は、単独であっても様々な用途や目的に使用することができる。即ち、担架シーツ部２は、図３に示すように、三層の積層シートＳ、具体的には、引張強度に優れた高強度素材を用いて形成した第一シート層１１、液体の通過を遮断するフィルム素材により形成した第二シート層１２、肌触りの良好なコットン等の天然繊維素材により形成した第三シート層１３を備える三層の積層シートＳにより構成するため、例えば、図１１に示すように、被災者（被搬送者）Ｈｒを覆うように被災者（被搬送者）Ｈｒに掛けて使用することができる。これにより、被災者（被搬送者）Ｈｒに対する保温を行うことができる。
【００５２】
なお、図１１の例は、被災者（被搬送者）Ｈｒが救急車等を待つ間の保温態様を示したものであるが、その他、多機能ストレッチャー１に載せた被搬送者Ｈｒの上に、布団のように掛けて使用してもよいし、被搬送者Ｈｒの着座した際の床や地面の上に敷いて使用してもよいなど、保温シートとして、様々な用途及び目的に使用することが可能である。
【００５３】
よって、このような本実施形態に係る多機能ストレッチャー１によれば、基本的な構成として、被搬送者Ｈｒを載せる担架シーツ部２，及びこの担架シーツ部２の少なくとも左右の端部２ｐ，２ｑ又はその近傍に設けることにより搬送者Ｈｃ…が把持して搬送可能な把持部３ｐ，３ｑを備えるとともに、特に、担架シーツ部２における端部２ｐ，２ｑ又はその近傍に設けることにより、当該担架シーツ部２を搬送者Ｈｃ…が直接手Ｈｈ…で把持できる複数の取手部４…と、担架シーツ部２の端部２ｐ，２ｑ又はその近傍に設けることにより、担架棒５…を着脱式に保持可能な担架棒保持部６ｐ，６ｑとを具備してなるため、いわば、無担架棒タイプと担架棒タイプの二タイプの担架を、現場の状況等に応じて柔軟にかつ容易に使い分けることができる。この結果、十分な軽量性及び携帯性を確保しつつ、実際の使用時における柔軟対応性及び利便性を高めることができる。
【００５４】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５５】
例えば、把持部３ｐ，３ｑは、担架シーツ部２の左右の端部２ｐ，２ｑ又はその近傍に備える場合を示したが、これらに加え、担架シーツ部２の前後の端部に設けてある場合を排除するものではない。また、担架シーツ部２における端部２ｐ，２ｑ又はその近傍に設けるとは、担架シーツ部２における端部２ｐ，２ｑを含むその周辺に設ける意味であり、一定の部位を特定するものではない。一方、担架シーツ部２は、高強度素材により形成した最下部に位置する第一シート層１１と、天然繊維素材で形成することにより被搬送者Ｈｒに接触する最上部に位置する第三シート層１３と、液体の通過を遮断するフィルム素材で形成することにより第一シート層１１と第三シート層１３の間に介在する第二シート層１２を積層した構成を望ましい形態として示したが、このような形態に限定されるものではない。したがって、層数も三層以外の積層形態であってもよい。さらに、取手部４…は、担架シーツ部２における端部２ｐ，２ｑ又はその近傍に、少なくとも人の手Ｈｈの指Ｈｍ…が入る長孔部１４…を形成して設けることが最適であるが、別途用意した取手部４…を取付けるなど、他の形態による構成する取手部４…を排除するものではない。また、担架棒５は、三つの棒メンバ１５ａ，１５ｂ，１５ｃにより構成する場合を示したが、棒メンバ１５ａ…の数量（分割数）は任意である。さらに、担架棒保持部６ｐ，６ｑの形態も、図４（ａ）〜（ｃ）に例示した形態をはじめ、他の各種形態により実施できるとともに、
担架棒保持部６ｐ，６ｑの素材も担架シーツ部２と同一であってもよいし、異ならしてもよい。
【産業上の利用可能性】
【００５６】
本発明は、被災地や病院等の現場における様々な状態の被搬送者の搬送や支援を含む様々な用途及び目的に使用する多機能ストレッチャーとして利用できる。
【符号の説明】
【００５７】
１：多機能ストレッチャー，２：担架シーツ部，２ｐ：担架シーツ部の端部，２ｑ：担架シーツ部の端部，３ｐ：把持部，３ｑ：把持部，４…：取手部，５…：担架棒，６ｐ：担架棒保持部，６ｑ：担架棒保持部，１１：第一シート層，１２：第二シート層，１３：第三シート層，１４…：長孔部，１５ａ：棒メンバ，１５ｂ：棒メンバ，１５ｃ：棒メンバ，１６…：連結部，１６ｃ…：補強筒部，Ｈｒ：被搬送者，Ｈｃ…：搬送者，Ｈｈ…：手，Ｈｍ…：指
【図１】
2020175017.tif 000003
【図２】
2020175017.tif 000004
【図３】
2020175017.tif 000005
【図４】
2020175017.tif 000006
【図５】
2020175017.tif 000007
【図６】
2020175017.tif 000008
【図７】
2020175017.tif 000009
【図８】
2020175017.tif 000010
【図９】
2020175017.tif 000011
【図１０】
2020175017.tif 000012
【図１１】
2020175017.tif 000013